(57)【要約】【課題】端末移動時においてパケットロスの少ないネットワークの構築をすることが可能となる、ＣＡＭ実装パケットスイッチ装置及びＣＡＭ実装パケットスイッチ装置におけるアドレス学習方法を提供する。【解決手段】パケット受信時に、ＬＯＯＫＵＰコマンドにより端末識別子情報が入力されると、ＣＡＭ１５０の端末識別子／接続ポート対応テーブルを検索し、接続ポート情報を出力し、学習しようとしている端末識別子情報が格納されていない場合に、ＬＥＡＲＮコマンドを実行し学習を実施し、または、端末識別子情報は格納されているが接続ポート情報が間違っている場合に、ＬＥＡＲＮコマンドを実行し学習を実施し、ＣＡＭ１５０は、ＬＥＡＲＮコマンドで端末識別子情報と接続ポート情報が入力されると、その対応を端末識別子／接続ポート対応テーブルに格納する。【選択図】      図３
2005006150.tif 000002
【特許請求の範囲】
【請求項１】
パケット受信時に、ＬＯＯＫＵＰコマンドにより端末識別子情報が入力されると、ＣＡＭ（Ｃｏｎｔｅｎｔ  Ａｄｄｒｅｓｓａｂｌｅ  Ｍｅｍｏｒｙ）の端末識別子／接続ポート対応テーブルを検索し、接続ポート情報を出力し、学習しようとしている端末識別子情報が格納されていない場合に、ＬＥＡＲＮコマンドを実行し学習を実施し、または、端末識別子情報は格納されているが接続ポート情報が間違っている場合に、ＬＥＡＲＮコマンドを実行し学習を実施し、
前記ＣＡＭは、ＬＥＡＲＮコマンドで端末識別子情報と接続ポート情報が入力されると、その対応を前記端末識別子／接続ポート対応テーブルに格納し、
パケット送信時は、ＬＯＯＫＵＰコマンドにより端末識別子情報が入力されると、前記端末識別子／接続ポート対応テーブルを検索して送信先ポートを決定しパケットを送出する、ＣＡＭ実装パケットスイッチ装置。
【請求項２】
複数のポートと、受信処理部と、学習処理部と、検索処理部と、ＣＡＭ（Ｃｏｎｔｅｎｔ  Ａｄｄｒｅｓｓａｂｌｅ  Ｍｅｍｏｒｙ）と、送信処理部とから構成され、各々のポートに接続している各々の伝送路を介して各々の端末に接続し、各々の伝送路には、送信先端末識別子情報（ＤＡ情報）と、送信元端末識別子情報（ＳＡ情報）と、ユーザデータとからなるパケットが流れるＣＡＭ実装パケットスイッチ装置であって、
前記ＣＡＭは、ＤＡ情報またはＳＡ情報である端末識別子情報と該端末識別子情報の有無を示す有効フラグと接続ポート情報とからなる、端末識別子／接続ポート対応テーブルを有し、
各々のポートにおいて受信したパケットに対して接続ポート情報が付加されて、前記受信処理部へ転送され、
該受信処理部は、前記パケットからＤＡ情報抽出とＳＡ情報抽出と接続ポート情報抽出とを実施し、ＳＡ情報と接続ポート情報とを前記学習処理部へ転送し、また、ＤＡ情報を前記検索処理部へ転送し、また、前記パケットを前記送信処理部へ転送し、
前記学習処理部は、ＳＡ情報をＬＯＯＫＵＰコマンドにて検索し、有効フラグ＝無効の場合または学習すべき接続ポート情報が正しく前記端末識別子／接続ポート対応テーブルに格納されていない場合には、学習を実施し、前記端末識別子／接続ポート対応テーブルを生成し、
前記検索処理部は、ＤＡ情報をＬＯＯＫＵＰコマンドにて検索し、得られた接続ポート情報により転送先ポートを決定し、前記接続ポート情報を前記送信処理部へ転送し、
前記送信処理部は、前記パケットと前記接続ポート情報を受信して、該接続ポート情報から前記パケットを適切なポートへ出力する、ＣＡＭ実装パケットスイッチ装置。
【請求項３】
パケット受信時に、ＬＯＯＫＵＰコマンドにより端末識別子情報が入力されると、ＣＡＭ（Ｃｏｎｔｅｎｔ  Ａｄｄｒｅｓｓａｂｌｅ  Ｍｅｍｏｒｙ）の端末識別子／接続ポート対応テーブルを検索し、接続ポート情報を出力し、学習しようとしている端末識別子情報が格納されていない場合に、ＬＥＡＲＮコマンドを実行し学習を実施し、または、端末識別子情報は格納されているが接続ポート情報が間違っている場合に、ＬＥＡＲＮコマンドを実行し学習を実施し、
前記ＣＡＭは、ＬＥＡＲＮコマンドで端末識別子情報と接続ポート情報が入力されると、その対応を前記端末識別子／接続ポート対応テーブルに格納し、
パケット送信時は、ＬＯＯＫＵＰコマンドにより端末識別子情報が入力されると、前記端末識別子／接続ポート対応テーブルを検索して送信先ポートを決定しパケットを送出する、ＣＡＭ実装パケットスイッチ装置におけるアドレス学習方法。
【請求項４】
複数のポートと、受信処理部と、学習処理部と、検索処理部と、ＣＡＭ（Ｃｏｎｔｅｎｔ  Ａｄｄｒｅｓｓａｂｌｅ  Ｍｅｍｏｒｙ）と、送信処理部とから構成され、各々のポートに接続している各々の伝送路を介して各々の端末に接続し、各々の伝送路には、送信先端末識別子情報（ＤＡ情報）と、送信元端末識別子情報（ＳＡ情報）と、ユーザデータとからなるパケットが流れるＣＡＭ実装パケットスイッチ装置におけるアドレス学習方法であって、
前記ＣＡＭは、ＤＡ情報またはＳＡ情報である端末識別子情報と該端末識別子情報の有無を示す有効フラグと接続ポート情報とからなる、端末識別子／接続ポート対応テーブルを有し、
各々のポートにおいて受信したパケットに対して接続ポート情報が付加されて、前記受信処理部へ転送され、
該受信処理部により、前記パケットからＤＡ情報抽出とＳＡ情報抽出と接続ポート情報抽出とを実施し、ＳＡ情報と接続ポート情報とを前記学習処理部へ転送し、また、ＤＡ情報を前記検索処理部へ転送し、また、前記パケットを前記送信処理部へ転送し、
前記学習処理部により、ＳＡ情報をＬＯＯＫＵＰコマンドにて検索し、有効フラグ＝無効の場合または学習すべき接続ポート情報が正しく前記端末識別子／接続ポート対応テーブルに格納されていない場合には、学習を実施し、前記端末識別子／接続ポート対応テーブルを生成し、
前記検索処理部により、ＤＡ情報をＬＯＯＫＵＰコマンドにて検索し、得られた接続ポート情報により転送先ポートを決定し、前記接続ポート情報を前記送信処理部へ転送し、
前記送信処理部により、前記パケットと前記接続ポート情報を受信して、該接続ポート情報から前記パケットを適切なポートへ出力する、ＣＡＭ実装パケットスイッチ装置におけるアドレス学習方法。
【発明の詳細な説明】
【０００１】
【発明の属する技術分野】
本発明は、ＣＡＭ実装パケットスイッチ装置及びＣＡＭ実装パケットスイッチ装置におけるアドレス学習方法に関する。
【０００２】
【従来の技術】
ＣＡＭ実装パケットスイッチ装置は、パケット受信時に「端末識別子」と「接続ポート」の対応を学習する。そして、パケット送信時は、その学習情報を検索して送信先ポートを決定しパケットを送出する。この学習と検索の処理をＣＡＭ（Ｃｏｎｔｅｎｔ  Ａｄｄｒｅｓｓａｂｌｅ  Ｍｅｍｏｒｙ）で実施する。ＣＡＭは、ＬＥＡＲＮコマンドで「端末識別子情報」と「接続ポート情報」が入力されると、その対応を端末識別子／接続ポート対応テーブルに格納する。また、ＬＯＯＫＵＰコマンドで「端末識別子情報」が入力されると端末識別子／接続ポート対応テーブルを検索し、接続ポート情報を出力する。
【０００３】
一般的に、パケット受信時に即ＬＥＡＲＮコマンドを実行し学習を実施するわけではない。まず、ＬＯＯＫＵＰコマンドにより端末識別子／接続ポート対応テーブルに学習しようとしている端末識別子情報が格納されていないことを確認した後で、ＬＥＡＲＮコマンドを実行し学習を実施する（特許文献１参照。）。
【０００４】
また、マルチパスバックプレーンデータスイッチにおけるソース学習のための方法および装置において、ソースアドレスがＣＡＭに発見されるかどうかを判定するステップと、ソースアドレスがＣＡＭに発見されなかった時、ソースアドレスの学習を指示するステップとを有するものもある（特許文献２参照。）。
【０００５】
【特許文献１】
特開平４−１７５０３１号公報
【特許文献２】
特開２００１−２６８１０９号公報
【０００６】
【発明が解決しようとする課題】
しかし、上述の従来の技術におけるように、端末識別子の格納の有無だけでは、正確な端末識別子／接続ポート対応テーブルの構築が困難である。端末が接続ポートを変更したとき、端末識別子は端末識別子／接続ポート対応テーブル内に格納させているが、内容が正しくないということが存在する。例えば、端末Ａはポート１に接続されていた場合、端末識別子／接続ポート対応テーブルには、「端末Ａ／ポート１」という対応が構築されている。しかし、端末Ａをポート２へ接続を変更した場合、端末Ａに関しての情報が端末識別子／接続ポート対応テーブルに格納されているので学習処理が実施されず、端末Ａ宛のパケットは、ポート１へ転送されてしまい、正確なパケット転送をすることができない。
【０００７】
上述の従来の技術の問題点に鑑み、本発明の目的は、端末移動時においてパケットロスの少ないネットワークの構築をすることが可能となる、ＣＡＭ実装パケットスイッチ装置及びＣＡＭ実装パケットスイッチ装置におけるアドレス学習方法を提供することにある。
【０００８】
【課題を解決するための手段】
本発明は、ＣＡＭ実装パケットスイッチ装置において、ＣＡＭ実装パケットスイッチ装置に接続されている端末の接続ポートが変更になった時でも正確にテーブル構築の実施を可能とする学習処理部を提供する。ＣＡＭ実装パケットスイッチ装置は、パケット受信時に「端末識別子」と「接続ポート」の対応を学習する。
【０００９】
そして、パケット送信時は、その学習情報を検索して送信先ポートを決定しパケットを送出する。この学習と検索の処理をＣＡＭ（Ｃｏｎｔｅｎｔ  Ａｄｄｒｅｓｓａｂｌｅ  Ｍｅｍｏｒｙ）で実施する。ＣＡＭは、ＬＥＡＲＮコマンドで「端末識別子情報」と「接続ポート情報」が入力されると、その対応を端末識別子／接続ポート対応テーブルに格納する。また、ＬＯＯＫＵＰコマンドで「端末識別子情報」が入力されると端末識別子／接続ポート対応テーブルを検索し、接続ポート情報を出力する。
【００１０】
特許文献１で提案されているように、パケット受信時に、即ＬＥＡＲＮコマンドを実行し学習を実施するわけではない。まず、ＬＯＯＫＵＰコマンドにより端末識別子／接続ポート対応テーブルに学習しようとしている端末識別子情報が格納されていないことを確認した後で、ＬＥＡＲＮコマンドを実行し学習を実施する。
【００１１】
この確認時の処理において、「接続ポート情報」にも着目し、端末識別子は格納されているが接続ポートが間違っているときに学習を実施することで、本発明は、ＣＡＭ実装パケットスイッチ装置において、ＣＡＭ実装パケットスイッチ装置に接続されている端末の接続ポートが変更になった時でも正確に実施できる学習処理部を提供する。
【００１２】
従って、本発明により、端末の移動に対して瞬時に正確な端末識別子／接続ポート対応テーブルを構築することが可能となる。故に、過ったポートへパケットを転送しなくなるため、端末移動時においてパケットロスの少ないネットワークの構築をすることが可能となる。
【００１３】
【発明の実施の形態】
（発明の第１の実施の形態）
本発明の第１の実施の形態の構成について説明する。
【００１４】
図１は本発明の第１の実施の形態の基本ネットワーク構成である。ＣＡＭ実装パケットスイッチ装置１００は、ポート１に接続している伝送路１０−１を介して端末Ａに接続している。同様にポート２は、伝送路１０−２を介し端末Ｂに、ポート３は、伝送路１０−３を介して端末Ｃに接続されている。この伝送路には図２のパケットが流れている。図２に示すようにパケットは、送信先端末識別子情報（ＤＡ情報）、送信元端末識別子情報（ＳＡ情報）、ユーザデータからなる。
【００１５】
ＣＡＭ実装パケットスイッチ装置１００の内容を図３に示す。各ポートにおいて受信したパケット（Ｐａｃｋｅｔで示す）に対して接続ポート情報を付加し、受信処理部１１０へ転送する。受信処理部１１０は、Ｐａｃｋｅｔから「ＤＡ情報抽出」・「ＳＡ情報抽出」・「接続ポート情報抽出」を実施し、ＳＡ情報と接続ポート情報を学習処理部１３０へ転送する。また、ＤＡ情報を検索処理部１４０へ転送する。また、Ｐａｃｋｅｔは、送信処理部１２０へ転送する。
【００１６】
学習処理部１３０は、学習すべき接続ポート情報がすでに格納済みかを認識するために、ＳＡ情報をＬＯＯＫＵＰコマンドにて検索する。そして、その結果として、端末識別子情報の有無を示す有効フラグと接続ポート情報を得て、学習すべきか否かを判断する。通常この判断処理は、有効フラグの無効をトリガにして学習すべきであると判断する。そのフローが図４である。
【００１７】
本発明では、この判断処理を図５で実施する。図５は、「有効フラグ＝有効」かつ「学習すべき接続ポート情報が正しくテーブルに格納されている」場合には、学習を実施しないロジックとなっている。図４との違いは、有効フラグだけでなく、格納されている接続ポート情報も判断ロジックに含めている点である。学習しないと判断した場合、その後のＬＥＡＲＮコマンドは発行されない。学習すると判断した場合、ＳＡと接続ポート情報をＬＥＡＲＮコマンドにて学習する。このコマンドにより端末識別子と接続ポートの対応テーブルが生成される。
【００１８】
検索処理部１４０は、ＤＡ情報をＬＯＯＫＵＰコマンドにて検索し、転送先ポートを決定する。この得られた接続ポート情報を送信処理部１２０へ転送する。
【００１９】
送信処理部１２０は、Ｐａｃｋｅｔと接続ポート情報を受信して、接続ポート情報からＰａｃｋｅｔを適切なポートへ出力する。
【００２０】
次に、本発明の第１の実施の形態の動作について説明する。
【００２１】
図６のテーブルがすでに存在しているものとする。そして、図３を参照し動作を記載する。以下に「１．端末Ｂから端末ＡへのＰａｃｋｅｔ転送」、「２．端末Ａがポート４へ接続変更し、端末Ａから端末ＣへのＰａｃｋｅｔ転送と端末Ｂから端末ＡへのＰａｃｋｅｔ転送」を示す。
［１．端末Ｂから端末ＡへのＰａｃｋｅｔ転送］
１．  端末ＢはＰａｃｋｅｔ（ＤＡ＝Ａ，  ＳＡ＝Ｂ）を送信する。
２．  Ｐａｃｋｅｔ（ＤＡ＝Ａ，  ＳＡ＝Ｂ）を受信したポート２は、Ｐａｃｋｅｔ（ＤＡ＝Ａ，  ＳＡ＝Ｂ）とポート情報（２）を受信処理部１１０に転送する。
３．  Ｐａｃｋｅｔ（ＤＡ＝Ａ，  ＳＡ＝Ｂ）とポート情報（２）を受信した受信処理部１１０は、ＰａｃｋｅｔからのＳＡ情報（Ｂ）とポート情報（２）を抽出する。
【００２２】
そして、その情報を学習処理部１３０に転送する。
【００２３】
ＳＡ情報（Ｂ）とポート情報（２）を受信した学習処理部１３０は、ＳＡ情報（Ｂ）をＬＯＯＫＵＰコマンドにて検索する。
【００２４】
ＣＡＭ（図６のテーブル）から有効フラグ＝無効を受信する。
【００２５】
図５の判断フローより、ＳＡ情報（Ｂ）とポート情報（２）をＬＥＡＲＮコマンドにて学習する。
【００２６】
結果、図７のテーブルとなる。
【００２７】
Ｐａｃｋｅｔ（ＤＡ＝Ａ，  ＳＡ＝Ｂ）とポート情報（２）を受信した受信処理部１１０は、ＰａｃｋｅｔからのＤＡ情報（Ａ）を抽出する。
【００２８】
そして、その情報を検索処理部１４０に転送する。また、Ｐａｃｋｅｔを送信処理部１２０に転送する。
【００２９】
ＤＡ情報（Ａ）を受信した検索処理部１４０は、ＤＡ情報（Ａ）をＬＯＯＫＵＰコマンドにて検索する。
【００３０】
ＣＡＭ（図７のテーブル）から有効フラグ＝有効・接続ポート＝１を受信する。
【００３１】
この接続ポート＝１をポート情報（１）として、送信処理部１２０に転送する。
【００３２】
４．  Ｐａｃｋｅｔとポート情報（１）を受信した送信処理部１２０は、ポート情報（１）  よりＰａｃｋｅｔをポート１へ送出する。
５．  端末Ａは、Ｐａｃｋｅｔ（ＤＡ＝Ａ，  ＳＡ＝Ｂ）を受信する。
［２．端末Ａがポート４へ接続変更し、端末Ａから端末ＣへのＰａｃｋｅｔ転送と端末Ｂから端末ＡへのＰａｃｋｅｔ転送］
１．  端末Ａをポート４へ接続変更する。（図９）
２．  端末ＡはＰａｃｋｅｔ（ＤＡ＝Ｃ，  ＳＡ＝Ａ）を送出する。
３．  Ｐａｃｋｅｔ（ＤＡ＝Ｃ，  ＳＡ＝Ａ）を受信したポート４は、Ｐａｃｋｅｔ（ＤＡ＝Ｃ，  ＳＡ＝Ａ）とポート情報（４）を受信処理部１１０に転送する。
４．  Ｐａｃｋｅｔ（ＤＡ＝Ｃ，  ＳＡ＝Ａ）とポート情報（４）を受信した受信処理部１１０は、ＰａｃｋｅｔからのＳＡ情報（Ａ）とポート情報（４）を抽出する。
【００３３】
そして、その情報を学習処理部１３０に転送する。
【００３４】
ＳＡ情報（Ａ）とポート情報（４）を受信した学習処理部１３０は、ＳＡ情報（Ａ）をＬＯＯＫＵＰコマンドにて検索する。
【００３５】
ＣＡＭ（図７のテーブル）から有効フラグ＝有効・接続ポート（１）を受信する。
【００３６】
図５の判断フローより、ＳＡ情報（Ａ）とポート情報（４）をＬＥＡＲＮコマンドにて学習する。
【００３７】
結果、図８のテーブルとなる。
【００３８】
（このとき、図４の判断フローを用いると、図７のテーブルは変更されない。）
Ｐａｃｋｅｔ（ＤＡ＝Ｃ，  ＳＡ＝Ａ）とポート情報（４）を受信した受信処理部１１０は、ＰａｃｋｅｔからのＤＡ情報（Ｃ）を抽出する。
【００３９】
そして、その情報を検索処理部１４０に転送する。また、Ｐａｃｋｅｔを送信処理部１２０に転送する。
【００４０】
ＤＡ情報（Ｃ）を受信した検索処理部１４０は、ＤＡ情報（Ｃ）をＬＯＯＫＵＰコマンドにて検索する。
【００４１】
ＣＡＭ（図８のテーブル）から有効フラグ＝有効・接続ポート＝３を受信する。
【００４２】
この接続ポート＝３をポート情報（３）として、送信処理部１２０に転送する。
５．  Ｐａｃｋｅｔとポート情報（３）を受信した送信処理部１２０は、ポート情報（３）よりＰａｃｋｅｔをポート３へ送出する。
６．  端末Ｃは、Ｐａｃｋｅｔ（ＤＡ＝Ｃ，  ＳＡ＝Ａ）を受信する。
７．  端末Ｂは、Ｐａｃｋｅｔ（ＤＡ＝Ａ，  ＳＡ＝Ｂ）を送信する。
８．  Ｐａｃｋｅｔ（ＤＡ＝Ａ，  ＳＡ＝Ｂ）を受信したポート２は、Ｐａｃｋｅｔ（ＤＡ＝Ａ，  ＳＡ＝Ｂ）とポート情報（２）を受信処理部１１０に転送する。
９．  Ｐａｃｋｅｔ（ＤＡ＝Ａ，  ＳＡ＝Ｂ）とポート情報（２）を受信した受信処理部１１０は、ＰａｃｋｅｔからのＳＡ情報（Ｂ）とポート情報（２）を抽出する。
【００４３】
そして、その情報を学習処理部１３０に転送する。
【００４４】
ＳＡ情報（Ｂ）とポート情報（２）を受信した学習処理部１３０は、ＳＡ情報（Ｂ）をＬＯＯＫＵＰコマンドにて検索する。
【００４５】
ＣＡＭ（図８のテーブル）から有効フラグ＝有効・接続ポート＝２を受信する。
【００４６】
図５の判断フローより、ＬＥＡＲＮコマンドにて学習しない。
【００４７】
Ｐａｃｋｅｔ（ＤＡ＝Ａ，  ＳＡ＝Ｂ）とポート情報（２）を受信した受信処理部１１０は、
ＰａｃｋｅｔからのＤＡ情報（Ａ）を抽出する。
【００４８】
そして、その情報を検索処理部１４０に転送する。また、Ｐａｃｋｅｔを送信処理部１２０に転送する。
【００４９】
ＤＡ情報（Ａ）を受信した検索処理部１４０は、ＤＡ情報（Ａ）をＬＯＯＫＵＰコマンドにて検索する。
【００５０】
ＣＡＭ（図８のテーブル）から有効フラグ＝有効・接続ポート＝４を受信する。
【００５１】
この接続ポート＝１をポート情報（４）として、送信処理部１２０に転送する。（４．の処理で図４の判断フローを用いると、図７のテーブルは変更されないので、ポート情報（１）となる）
【００５２】
１０．  Ｐａｃｋｅｔとポート情報（４）を受信した送信処理部１２０は、ポート情報（４）よりＰａｃｋｅｔをポート４へ送出する。
【００５３】
１１．  端末Ａは、Ｐａｃｋｅｔ（ＤＡ＝Ａ，  ＳＡ＝Ｂ）を受信する。
【００５４】
なお、エントリの削除の方法として、一般的に、エージング（エージアウト）が用いられる。エージアウトとは、一定時間アクセスのないエントリを削除することである。そして、その時間はユーザが任意に設定可能であるが、一般的には、５分程度である。即ち、端末移動を実施した場合、その端末に関するエントリが削除され、再度エントリ登録されるのは、５分後ということになる。
【００５５】
本発明は、端末移動に際して、エントリの上書きという処理を追加し、エントリが削除され再度エントリ登録されるまでのエージング時間を待たずに端末間で通信することを可能にしている。
【００５６】
（発明の第２の実施の形態）
本発明の第１の実施の形態では、接続済み端末を空きポートへ移動したときの例を示しているが、本発明の第２の実施の形態として、接続済み端末の入れ替えを実施しても同様の効果が得られる。
【００５７】
【発明の効果】
以上説明したように、本発明には、以下の効果がある。
【００５８】
検索テーブルに格納されている端末識別子情報の有無だけで、学習する／しないの判断を実施すると、端末の移動に対して、瞬時に正確な端末識別子／接続ポート対応テーブルを構築することが困難である。本発明により、端末の移動に対して瞬時に正確な端末識別子／接続ポート対応テーブルを構築することが可能となる。故に、過ったポートへパケットを転送しなくなるため、端末移動時においてパケットロスの少ないネットワークの構築をすることが可能となる。
【図面の簡単な説明】
【図１】基本ネットワーク構成を示す図である。
【図２】パケットフォーマットを示す図である。
【図３】ＣＡＭ実装パケットスイッチ装置内ブロックを示す図である。
【図４】従来の学習判断フローを示す図である。
【図５】本発明の学習判断フローを示す図である。
【図６】初期状態の端末識別子／接続ポート対応テーブルを示す図である。
【図７】端末Ｂ−＞Ａ間Ｐａｃｋｅｔ転送後の端末識別子／接続ポート対応テーブルを示す図である。
【図８】端末Ａの接続ポート変更後の端末識別子／接続ポート対応テーブルを示す図である。
【図９】端末Ａの接続ポート変更後のネットワーク構成を示す図である。
【符号の説明】
１、２、３、４    ポート
１０−１、１０−２、１０−３、１０−４    伝送路
１００    ＣＡＭ実装パケットスイッチ装置
１１０    受信処理部
１２０    送信処理部
１３０、２３０    学習処理部
１４０    検索処理部
１５０    ＣＡＭ
Ａ、Ｂ、Ｃ    端末
【図１】
2005006150.tif 000003
【図２】
2005006150.tif 000004
【図３】
2005006150.tif 000005
【図４】
2005006150.tif 000006
【図５】
2005006150.tif 000007
【図６】
2005006150.tif 000008
【図７】
2005006150.tif 000009
【図８】
2005006150.tif 000010
【図９】
2005006150.tif 000011